(57)【特許請求の範囲】
【請求項１】
少なくとも１個以上の灯具が着脱自在に吊り下げられるとともに、この灯具と電気的に接続可能であって、互いに絶縁された一対の導電バーを有し、この一対の導電バーをそれぞれ対向するように保持する一対の側壁及び貫通孔が設けられ、前記一対の側壁を接続する上壁を有するとともに、下面が開放した長尺状のライティングダクトと；
前記ライティングダクトに設けられ、このライティングダクトを天井面に固定するための固定部と；
前記一対の導電バーとそれぞれ電気的に接続される接続端子部を有する給電部と；
外部電源と接続されるとともに、天井面側から前記貫通孔を通って前記給電部の前記接続端子部と電気的に接続される接続線と；
を具備したことを特徴とするライティングダクトシステム。
【請求項２】
前記接続端子部は、前記導電バーと電気的に接触可能な接触刃を有し、この接触刃が前記導電バーに接触したときに、前記導電バーに電源を供給することを特徴とする請求項１に記載のライティングダクトシステム。 
【請求項３】
前記給電部は、ライティングダクトの開放した下面側から器具本体に取り付けられると共に、前記給電部を回転させることで、前記接触刃を前記導電バーに接触させると同時に給電部をライティングダクトに保持する接触状態、又は前記接触刃を前記導電バーと非接触部にすると同時に給電部をライティングダクトに対して移動可能とする非接触状態とすることを特徴とする請求項２に記載のライティングダクトシステム。 
【請求項４】
前記給電部は、カム部を有し、このカム部を回転させることで、前記接触刃を前記導電バーに接触させると同時に給電部をライティングダクトに保持する接触状態、又は前記接触刃を前記導電バーと非接触部にすると同時に給電部をライティングダクトに対して移動可能とする非接触状態とすることを特徴とする請求項２に記載のライティングダクトシステム。 
【請求項５】
前記給電部の接続端子部は、前記接続線の基端部とプラグイン接続されることを特徴とする請求項１乃至請求項４のいずれか１つに記載のライティングダクトシステム。
【請求項６】
前記給電部の接続端子部は、板バネを有し、前記接続線の基端部とこの板バネとが接続されるＳＬ端子構造であることを特徴とする請求項１乃至請求項４のいずれか１つに記載のライティングダクトシステム。
【請求項７】
前記固定部は、前記ライティングダクトの長手方向にスライド移動可能に取り付けられて自在に位置変更が可能であることを特徴とする請求項１乃至請求項６のいずれか１つに記載のライティングダクトシステム。
【発明の詳細な説明】
【技術分野】
【０００１】
本発明は、少なくとも１個以上の灯具が着脱自在に吊り下げられ電気的に接続されるライティングダクトと、接続線を電気的に接続してライティングダクトに電源を供給するための給電部とを有するライティングダクトシステムに関する。
【背景技術】
【０００２】
従来より、主に住宅用照明器具として、少なくとも１個以上の灯具が着脱自在に吊り下げられ電気的に接続されるライティングダクトを有するライティングダクトシステムが用いられている。
【０００３】
このようなライティングダクトシステムは、例えば引掛シーリングに接続された接続線を電気的に接続してライティングダクトの前記灯具に電源を供給するための給電部を有して構成されている。
【０００４】
また、ライティングダクトは、長手方向の略中心位置に配設された固定部によって天井面に固定されるようになっている。
【０００５】
例えば、特許文献１には、カバーを利用して、給電部を構成する接続具本体の梱包を簡略化する等を目的として、前記接続具本体をライティングダクトの基端部の開口に嵌装し、この接続具本体の基端部にカバーを被着させたもので、カバーの開口した一端部の内壁面と接続具本体の基端部外側面に、接続具本体の先端部をカバーの他端部側に位置させた収納状態と、接続具本体の先端部をカバーの一端部の開口より外方向に突出させる使用状態とにおいて互いに係合する係合部とを有するライティングダクトの電源接続ユニットに関する技術が開示されている。
【特許文献１】実公平５−３１８３５号公報
【発明の開示】
【発明が解決しようとする課題】
【０００６】
しかしながら、前記従来技術では、給電部を構成する接続具本体が、ライティングダクトの基端部に配設された構成であるため、ライティングダクトの中心に対して、ライティングダクトシステム全体が左右対称にならず、外観が損なってしまうといった不都合があった。
【０００７】
また、前記従来技術において、ライティングダクトは、着脱自在な灯具がこのライティングダクトの長手方向にスライド可能に構成され、前記接続具本体を介して電源が灯具に給電される構成となっているので、例えば、複数の灯具が前記接続具本体近傍に配置された場合には、この接続具本体の重みに起因してライティングダクトが撓んでしまうといった虞れもある。
【０００８】
さらに、前記特許文献１では、ライティングダクト基端部に設けられた前記接続具本体に直接、引掛シーリングの接続線（電源線）が引き込まれて電気的に接続された構成であるため、左右対称ではないものと同様に外観が損なってしまうといった不都合もあった。
【０００９】
そこで、本発明は前記事情に鑑みてなされたものであり、給電部を基端部に設けることなくライティングダクトを左右対称に構成して、給電を行うことができる給電部を有するライティングダクトシステムを提供することを目的とする。
【課題を解決するための手段】
【００１０】
請求項１に記載の発明のライティングダクトシステムは、少なくとも１個以上の灯具が着脱自在に吊り下げられるとともに、この灯具と電気的に接続可能であって、互いに絶縁された一対の導電バーを有し、この一対の導電バーをそれぞれ対向するように保持する一対の側壁及び貫通孔が設けられ、前記一対の側壁を接続する上壁を有するとともに、下面が開放した長尺状のライティングダクトと；前記ライティングダクトに設けられ、このライティングダクトを天井面に固定するための固定部と；前記一対の導電バーとそれぞれ電気的に接続される接続端子部を有する給電部と；外部電源と接続されるとともに、天井面側から前記貫通孔を通って前記給電部の前記接続端子部と電気的に接続される接続線と；を具備している。
【００１１】
請求項１の発明のライティングダクトシステムにおいて、前記給電部は、前記ライティングダクトの基端部以外の位置、例えばライティングダクトの長手方向の略中心部に固定、又は長手方向にスライド可能な装着される。この場合、前記給電部は、ライティングダクトの長手方向の略中心部近傍に配置することが望ましい。
【００１２】
また、前記給電部は、前記接続端子と前記導電バーとを導通状態にしたときは、この状態を保持することができるようになっている。このことにより、確実に電源を前記灯具に給電することができる。
【００１３】
請求項２に記載の発明のライティングダクトシステムは、請求項１に記載のライティングダクトシステムにおいて、前記接続端子部は、前記導電バーと電気的に接触可能な接触刃を有し、この接触刃が前記導電バーに接触したときに、前記導電バーに電源を供給することを特徴とする。
【００１４】
請求孔２の発明において、前記接続端子部は、前記ライティングダクト内に固定されていてもよいし、長手方向に移動可能な構成であっても良い。
【００１５】
請求項３に記載の発明のライティングダクトシステムは、請求項２に記載のライティングダクトシステムにおいて、前記給電部は、ライティングダクトの開放した下面側から器具本体に取り付けられると共に、前記給電部を回転させることで、前記接触刃を前記導電バーに接触させると同時に給電部をライティングダクトに保持する接触状態、又は前記接触刃を前記導電バーと非接触部にすると同時に給電部をライティングダクトに対して移動可能とする非接触状態とすることを特徴とする。
【００１６】
請求項３の発明において、前記給電部を回転させて前記接触刃を導電バーに接触させた際に、給電部をライティングダクトに保持する接触状態、又は前記接触刃を前記導電バーと非接触部にすると同時に給電部をライティングダクトに対して移動可能とする非接触状態とするのに必要な所定の接触圧が得られるような構成が望ましい。
【００１７】
請求項４に記載の発明のライティングダクトシステムは、請求項２に記載のライティングダクトシステムにおいて、前記給電部は、カム部を有し、このカム部を回転させることで、前記接触刃を前記導電バーに接触させると同時に給電部をライティングダクトに保持する接触状態、又は前記接触刃を前記導電バーと非接触部にすると同時に給電部をライティングダクトに対して移動可能とする非接触状態とすることを特徴とする。
【００１８】
請求項４の発明において、前記給電部にカム部を設けた場合でも、前記給電部を回転させて前記接触刃を導電バーに接触させた際に、給電部をライティングダクトに保持する接触状態、又は前記接触刃を前記導電バーと非接触部にすると同時に給電部をライティングダクトに対して移動可能とする非接触状態とするのに必要な所定の接触圧が得られるような構成が望ましい。
【００１９】
請求項５に記載の発明のライティングダクトシステムは、請求項１乃至請求項４のいずれか１つに記載のライティングダクトシステムにおいて、前記給電部の接続端子部は、前記接続線の基端部とプラグイン接続されることを特徴とする。
【００２０】
請求項４の発明において、前記接続端子部は、止めネジ等によって前記接続線の基端部とプラグイン接続することか望ましい。
【００２１】
請求項６に記載の発明のライティングダクトシステムは、請求項１乃至請求項４のいずれか１つに記載のライティングダクトシステムにおいて、前記給電部の接続端子部は、板バネを有し、前記接続線の基端部とこの板バネとが接続されるＳＬ端子構造であることを特徴とする。
【００２２】
請求項６の発明において、板バネは、前記接続線の基端部との接触状態を保持するための所定の付勢力を有することが望ましい。
【００２３】
請求項７に記載の発明のライティングダクトシステムは、請求項１乃至請求項６のいずれか１つに記載のライティングダクトシステムにおいて、前記固定部は、前記ライティングダクトの長手方向にスライド移動可能に取り付けられて自在に位置変更が可能であることを特徴とする。
【００２４】
請求項７の発明において、前記固定部は、前記ライティングダクトの長手方向全体に渡って移動可能であることが望ましい。
【発明の効果】
【００２５】
請求項１の本発明によれば、給電部を基端部に設けることなくライティングダクトを左右対称に構成して、給電を行うことができる給電部を有するライティングダクトシステムを提供することが可能となる。
【００２６】
請求項２の発明によれば、さらに、前記接続端子部が、前記導電バーと電気的に接触可能な接触刃を有しているので、ライティングダクトの接続位置を任意に決定することができる。
【００２７】
請求項３及び請求項４の発明によれば、さらに、ライティングダクトと接続線の電気的な接続作業が容易となり、また、接続状態を保持することができるので、電源供給の安定化を図ることができる。
【００２８】
請求項５の発明によれば、さらに、前記給電部の接続端子部が、前記接続線の基端部とプラグイン接続されるようになっているので、ライティングダクトと接続線との接続構成が簡単になり、また、接続作業が容易となる。
【００２９】
請求項６の発明によれば、さらに、前記給電部の接続端子部は、前記接続線の基端部とこの板バネが接続されるＳＬ端子構造であるので、ライティングダクトと接続線との接続構成が簡単となり、また、接続作業が容易となる。
【００３０】
請求項７の発明によれば、さらに、前記給電部は、前記ライティングダクトの長手方向にスライド移動可能に取り付けられて自在に位置変更が可能であるので、灯具のレイアウト等の自由度が拡大することになる。
【発明を実施するための最良の形態】
【００３１】
以下、図面を参照して本発明の実施の形態を説明する。
【００３２】
（第１の実施の形態）
図１から図７は本発明に係るライティングダクトシステムの第１の実施の形態を示し、図１は第１の実施の形態のライティングダクトシステムの全体構成を示す一部破断した側面断面図、図２は図１のライティングダクトシステムを下からみた場合の構成図、図３及び図４はライティングダクト及びプラグ式の給電部との電気的接続構造を説明するための断面図であり、図３は接続前の状態を示し、図４は接続完了状態を示している。また、図５から図７はライティングダクトと給電部との電気的接続構造の変形例を示す断面図であり、図５は接続前の状態を示し、図６は接続完了状態を示し、図７はＳＬ端子構造の給電部の具体的な構成を示す断面図である。
【００３３】
図１に示すように、本実施の形態のライティングダクトシステム１は、少なくとも１個以上の灯具が着脱自在に吊り下げられて電気的に接続可能な導電バー８を有するライティングダクト２と、このライティングダクト２を天井面等に固定するための固定部３と、外部の電源供給部と電気的に接続するための引掛シーリング受け部（図示せず）に着脱自在に取り付けられる引掛シーリング４と、この引掛シーリング４に電気的に接続された電源線５ａを内部に有する接続線５と、この接続線５の電源線５ａが電気的に接続される接続端子部１０を有し、この接続端子部１０を介して前記ライティングダクト２の導電バー８に電源を供給するための給電部６とを有して構成されている。
【００３４】
ライティングダクト２は、少なくとも１個以上の灯具（図示せず）が着脱自在に吊り下げられ電気的に接続可能であり、また、これら図示しない灯具がライティングダクト２の長手方向にスライド移動可能に構成されている。
【００３５】
具体的には、ライティングダクト２は、図３に示すように、両側側に設けられた側壁２Ｘ及び貫通孔２ａを有する上壁２Ｙを有している。また、一対の側壁２Ｘは、それぞれ長手方向に渡って対向配置されている絶縁体７を介して前記導電バー８を保持している。また、ライティングダクト２の下面には、長手方向に渡って取付孔２Ｚが設けられている。
【００３６】
そして、この取付孔２Ｚに前記灯具が挿通された後、この灯具を例えば水平方向に回転させることにより、この灯具に設けられた図示しない接触刃が図３に示す両側の導電バー８と接触する。このことにより、ライティングダクト２に装着された灯具には、導電バー８を介して電源が供給されるようになっている。
【００３７】
尚、ライティングダクト２の両側基端部には、例えば樹脂などの非導電性部材で形成されたエンドキャップ２ｂが嵌装されており、このエンドキャップ２ｂにより、前記導電バー８に対する遮蔽及び吊り下げられた灯具の落下防止等を図ることができるようになっている。
【００３８】
また、ライティングダクト２の略中央近傍には、図１及び図２に示すように、固定部３が取り付けられている。この固定部３を、天井面等に配設された引掛シーリング受け部を有する取付部に取り付けることによって、図１に示すライティングダクトシステム１を配設することができる。
【００３９】
固定部３は、図１及び図２に示すように円形状で且つ装着側に開口を有して構成されており、この開口を介して引掛シーリング４からの接続線５が前記ライティングダクト２側へと導出されている。
【００４０】
そして、前記接続線５は、ライティングダクト２の長手方向の略中心部に設けられた貫通孔２ａを介して挿通され、その接続線５の基端部の電源線５ａが、図１及び図３に示すように、前記給電部６の接続端子部１０に電気的に接続される。
【００４１】
次に、本実施の形態における給電部６の構成について、図１、図３及び図４を参照しながら説明する。
【００４２】
図１及び図２に示すように、前記給電部６は、前記ライティングダクト２の基端部以外の位置に設けられており、具体的には、ライティングダクト２の長手方向の略中心部で且つ底面側に設けられている。
【００４３】
前記給電部６は、図３及び図４に示すように、前記接続端子部１０と電気的に接続されライティングダクト２の導電バー８に対して接触又は非接触が可能な接触刃９を有し、この接触刃９が前記導電バー８に接触した場合に、ライティングダクト２の導電バー８に電源を供給するように構成されている。
【００４４】
この給電部６の具体的な構成が図３及び図４に示されている。
【００４５】
本実施の形態では、前記給電部６は、接続線５の電源線５ａの基端部が接続端子部１０にネジ１１により電気的に接続されている。尚、接続線５の電源線５ａの基端部がプラグイン接続される構成であっても良い。
【００４６】
そして、この接続端子部１０は、電気的に接続された前記接触刃９と一体的に構成されている。
【００４７】
また、前記給電部６は、ライティングダクト２の取付孔２Ｚに回転可能に取り付けられており、この給電部６を回転させることで、前記接続端子部１０及び前記接触刃９についても回転させる。つまり、前記給電部６の回転を調節することで、前記接触刃９を導電バー８に対して接触又は非接触が可能な構成となっている。また、前記給電部６は、前記接触刃９が導電バー８と接触した際には、その接触状態を保持するように構成されている。
【００４８】
例えば、図３は、接触刃９と導電バー８との非接触状態を示しており、この場合、前記給電部６は回転可能状態である。
【００４９】
そして、作業者が、給電部６を例えば９０度回転させると、給電部６の回転に伴い、接続端子部１０及び接触刃９も９０度回転することになる。
【００５０】
このとき、前記接触刃９は、一体的に構成された、外側方向に突起する形状の接触突起部９ａがそれぞれ導電バー８と接触する。このような接触状態が図４に示されている。
【００５１】
つまり、図４に示すように、接続端子部１０と電気的に接続された接触刃９の各接触突起部９ａが確実にそれぞれの導電バー８と接触することで導通状態となり、また、給電部６は、前記各接触突起部９ａと各導電バー８との接触圧等によってこの接触状態を保持する。
【００５２】
こうして、引掛シーリング４の接続線５内の電源線５ａ、接続端子部１０、接触刃９（接触突起部９ａ）、及び導電バー８間は導通状態となり、外部の電源供給部からの電源が確実に導電バー８に給電され、すなわち、この導電バー８に電気的に接続される少なくとも１つの灯具に電源が供給される。
【００５３】
本実施例のライティングダクトシステム１では、前記したように給電部６が、前記ライティングダクト２の基端部以外の位置、すなわち、ライティングダクト２の長手方向の略中心部に設けられている。
【００５４】
そのため、ライティングダクト２は、図１及び図２に示すように、固定部３及び給電部６を中心として、左右対称に形成することが可能となる。このことにより、外観が良好なライティングダクトシステム１を得ることが可能となり、特にデザインや外観を重要視する住宅用照明器具として用いるには有効である。
【００５５】
また、本実施の形態では、給電部６がライティングダクト２の基端部に設けられていないので、前記給電部６の重みを考慮せずに、ライティングダクト２に灯具を装着することも可能である。この場合、外観が良好となるようにライティングダクト２の左右に同じ数の灯具を装着すれば、従来技術のように給電部６の重みによる撓みも発生しない。
【００５６】
尚、本実施の形態では、前記給電部６は、ライティングダクト２の長手方向の略中心部に配置したが、これに限定されることはなく、適宜中心部から離れた位置に移動させて固定保持するように構成しても良い。また、前記給電部６は、取付孔２Ｚに着脱可能で略中心近傍に配置したが、取付孔２Ｚへの装着に限定されることはなく、ライティングダクト２の取付孔２Ｚがない底面部の中心部に固定するように構成しても良い。
【００５７】
従って、第１の実施の形態によれば、給電部６を基端部に設けることなくライティングダクト２を左右対称に構成して、給電を行うことができる給電部６を備えたライティングダクトシステム１を構成することが可能となる。
【００５８】
また、従来技術のように給電部６を基端部に設けずにライティングダクト２を左右対称に構成するとともに、従来あった給電部をカバーするカバーも無くすことができるので、外観的にも良好である。
【００５９】
尚、第１の実施の形態では、前記給電部６における前記接続端子部１０の構造は、電源線５ａを、ライティングダクト２の底面に配置された給電部６内の接続端子部１０にネジ１１を用いて電気的に接続した端子構造を適用した場合について説明したが、これに限定されるものではなく、例えば後述する変形例に示すように、ＳＬ端子構造の接続端子部を用いて構成しても良い。
【００６０】
このような変形例を図５から図７を参照しながら説明する。  
図５から図７に示すように、本変形例では、前記給電部６は、ライティングダクト２内部に設けられたもので、前記電源線５ａの基端部５ｂが導電性の板バネ１３を介して電気的に接続されたＳＬ端子構造の接続端子部１０を有し、前記給電部６内の回転部材１２を回転させることで、前記接続端子部１０と電気的に接続された接触刃１４を前記導電バー８に接触させると同時にこの接触状態を保持するように構成されている。
【００６１】
具体的には、前記給電部６は、ライティングダクト２の固定部３が取り付けられる上壁２Ｙに回転可能に設けられている。
【００６２】
また、この給電部６は、ライティングダクト２の上壁２Ｙに設けられた貫通孔２ａから各電源線５ａの基端部５ｂを挿入して接続するための配線挿入口２ｃを有している。そして、この給電部６の接続端子部１０は、前記配線挿入口２ｃより挿入された電源線５ａの基端部５ｂと電気的に接続される導電性の板バネ１３と、この板バネ１３と電気的に接続されライティングダクト２の導電バー８に対して接触又は非接触が可能な接触刃１４と、この給電部６に対して回転可能に構成された回転部材１２と、この回転部材１２を回転した際に、前記接触刃１４を導電バー８に接触又は非接触させるためのカム部１５とを有して構成されている。尚、前記電源線５ａの基端部５ｂは、例えば配線挿入口２ｃに差込可能となるような導電性のプラグとして形成しており、単に電源線５ａのみの構成であっても良い。
【００６３】
板バネ１３は、図７に示すような板バネであり、電源線５ａの基端部５ｂが差し込まれた際に、接触する基端部５ｂを保持する方向に付勢する特性を有している。この場合、板バネ１３は、少なくとも２点で前記電源線５ａの基端部５ｂと確実に接触して電気的に接続されることになる。
【００６４】
また、この板バネ１３には、前記接触刃１４が固定されて電気的に接続されている。
【００６５】
そして、回転部材１２を回転させることで、この回転部材１２に設けられたカム部１５によって前記接触刃１４を導電バー８方向へと押し広げて、前記接触刃１４を導電バー８に対して接触が可能である。また、さらに回転部材１２を回転させることで、前記カム部１５によって前記接触刃１４を導電バー８から離間させて非接触状態にさせることも可能である。
【００６６】
例えば、図５は、接触刃１４と導電バー８との非接触状態を示しており、この場合、前記給電部６及び回転部材１２は回転可能状態である。
【００６７】
そして、作業者が、回転部材１２を例えば９０度回転させたとする。すると、給電部６及び回転部材１２の回転に伴い、この回転部材１２に設けられたカム部１５が９０度回転する。
【００６８】
すると、このカム部１５は、前記接触刃１４を導電バー８方向へと押し広げる。これにより、前記接触刃１４は、導電バー８に対して接触する。このような接触状態が図６に示されている。
【００６９】
つまり、図６に示すように、接続端子部１０の板バネ１３と電気的に接続された接触刃１４が確実にそれぞれの導電バー８と接触することで導通状態となり、また、給電部６は、前記各板バネ１３の付勢力と前記各接触刃１４と各導電バー８との接触圧等によってこの接触状態を保持する。
【００７０】
こうして、引掛シーリング４の接続線５内の電源線５ａ、接続端子部１０、板バネ１３、接触刃１４、及び導電バー８間は導通状態となり、外部の電源供給部からの電源が確実に導電バー８に給電され、すなわち、この導電バー８に電気的に接続される少なくとも１つの灯具に電源が供給される。
【００７１】
尚、本変形例では、前記回転部材１２のカム部１５に、前記接触刃１４方向に付勢するようなバネ特性を持たせ、前記ライティングダクト２に対して前記給電部６を水平方向にスライド可能となるように構成しても良い。
【００７２】
また、前記第１の実施の形態及び変形例では、給電部６の接続端子部１０の構造が、プラグ式構造又はＳＬ端子構造を適用した場合について説明したが、これに限定されるものではなく、電源線５ａと接続端子部１０とを確実に接続し、さらに、接触刃９が導電バー８に確実に接触可能な構成であれば、いずれの端子構造を用いて構成しても良い。
【００７３】
（第２の実施の形態）
図８及び図９は本発明に係るライティングダクトシステムの第２の実施の形態を示し、図８は第２の実施の形態のライティングダクトシステムの全体構成を示す一部破断した側面断面図、図９は図８のライティングダクトシステムを下からみた場合の構成図である。尚、図８及び図９は、第１の実施の形態のシステムと同様な構成要素については同一の符号を付して説明を省略し、異なる部分のみを説明する。
【００７４】
第２の実施の形態のライティングダクトシステム１Ａは、図１及び図２に示すように、ライティングダクト２の長手方向の中央近傍に、貫通孔としての所定の長さのスライド長穴２Ａを設け、前記給電部６が、スライド長穴２Ａにスライド可能に装着されるとともに、このスライド長穴２Ａの長手方向をスライドさせて自在に位置変更が可能となるように構成されている。
【００７５】
この場合、前記給電部６の接続端子１０の端子構造は、例えば図５及び図６にて説明した変形例に示すＳＬ端子構造を適用して構成されている。すなわち、給電部６は、ライティングダクト２内部に配置されることになる。
【００７６】
尚、このようなＳＬ端子構造、すなわち、ＳＬ端子構造の接続端子部１０を有する給電部６を、ライティングダクト２内に設けずに、前記第１の実施の形態において、ライティングダクト２の貫通孔２ａを大きく開口させると同時に、給電部６をライティングダクト２の取付孔２Ｚの長手方向に自在にスライド移動可能に装着するように構成しても良い。
【００７７】
その他の構成及び作用は、前記第１の実施の形態と同様である。
【００７８】
従って、第２の実施の形態によれば、前記第１の実施の形態と同様の効果が得られる他に、前記給電部６をライティングダクト２の長手方向にスライド移動自在に構成したことにより、装着する灯具に応じたレイアウトの選択の自由度を向上させることができる。
【００７９】
尚、前記給電部６のライティングダクト２の長手方向のスライド移動させるためのスライド機構については、前記第２の実施の形態におけるスライド機構に限定されるものではなく、確実に導電バー８と電気的に接続して給電が可能で且つスライド移動が可能な構成であればいずれのスライド機構を用いて構成しても良い。
【００８０】
ところで、従来のライティングダクトシステムには、特に住宅用照明等の設置形態に応じてライティングダクト２をレイアウトするために、ライティングダクト２を固定部３に対して長手方向にスライド移動自在にするスライド機構を備えたものがある。
【００８１】
ところが、このようなスライド機構は、ライティングダクト２にスライド用ガイドレール等の別部材を設けて構成されるため、コストが高価となり、また、ライティングダクトシステム１の取付後に、ライティングダクト２を所望する方向にスライドすることが出来ない等の不都合があった。
【００８２】
そこで、本発明は、このような問題点に鑑み、ライティングダクトとスライド機構とを一体化して構成することで、安価で且つ使い勝手の良いスライド機構を有するライティングダクトシステムを提供することも可能である。このような実施の形態を図１０を参照しながら説明する。
【００８３】
（第３の実施の形態）
図１０は本発明の係るライティングダクトシステムの第３の実施の形態を示し、ライティングダクト及び固定部の中心近傍の断面図である。尚、図１０は前記第１の実施の形態と同様な構成要素については同一の符号を付して説明を省略し、異なる部分のみを説明する。
【００８４】
第３の実施の形態のライティングダクトシステム１Ｂは、少なくとも１個以上の灯具が着脱自在に吊り下げられて電気的に接続可能な導電バー８を有するライティングダクト２０と、このライティングダクト２０に設けられ、このライティングダクト２０を天井面に固定するための固定部３と、外部の電源供給部と電気的に接続するための引掛シーリング４と、前記固定部３内より導入され、前記引掛シーリング４に電気的に接続された接続線５と、前記ライティングダクト２０に設けられた貫通孔２ａ′を介して前記接続線５が導入され、この導入された接続線５の電源線５ａが電気的に接続される接続端子部１０を有し、この接続端子部１０と前記ライティングダクト２の導電バー８とを接触させて前記接続端子部１０と前記導電バー８とを導電状態にして前記導電バー８に電源を供給するもので、ライティングダクト２０の基端部以外の位置に設けられた給電部６とを具備し、前記ライティングダクト２０内部にこのライティングダクト２０を長手方向にスライド移動させるためのスライド機構（第１及び第２のスライドガイド部２２、２３）を一体的に設けて構成されている。
【００８５】
尚、前記ライティングダクトシステム１Ｂにおける前記給電部６の構成は、前記第１の実施の形態と略同様である。
【００８６】
図１０に示すように、前記ライティングダクトシステム１Ｂのライティングダクト２０は、下部側については、前記第１又は第２の実施の形態のライティングダクト２と略同様に構成されている。
【００８７】
そして、ライティングダクト２０の上部側の上面には貫通孔２ａ′が設けられており、この貫通孔２ａには電源線５ａを挿入すると同時にライティングダクト２０を長手方向にスライド移動可能にするためのスライドガイド固定部２１が設けられている。
【００８８】
このスライドガイド固定部２１は、図８に示すように、前記ライティングダクト２０の上面と係合する第１のスライドガイド部２２と、この第１のスライドガイド部２２とで前記ライティングダクト２０の上面を挟持するとともに、ライティングダクト２０の内周側面と係合する第２のスライドガイド部２３とを有している。
【００８９】
すなわち、前記ライティングダクト２０は、このスライドガイド固定部２１の前記第１及び第２のスライドガイド部２２、２３によって、長手方向へのスライド移動が自在である。
【００９０】
従って、ライティングダクト２０は、このライティングダクト２０が有するスライドガイド固定部２１の第１及び第２のスライドガイド部２２、２３によって自在に長手方向へのスライド移動が可能であるために、仮に固定部３を天井面に取り付けた後でも、作業者の所望レイアウトとなるように、ライティングダクト２０をスライドさせることができる。
【００９１】
尚、前記スライドガイド固定部２１は、前記固定部３と前記ライティングダクト２０とを固定する機能も有しており、組立性も用意で且つ低コストな構造となっている。
【００９２】
その他の構成は、前記第１の実施の形態と同様である。
【００９３】
従って、第３の実施の形態よれば、ライティングダクト２０とスライド機構２１〜２３とを一体化して構成することで、従来別部材であったスライド機構を用いずにライティングダクト２０を長手方向に自在のスライド可能に構成することができるので、コストを低減することができるとともに、固定部３を天井面等に固定して取り付けた後でも、ライティングダクト２０を自在にスライド移動させることができるので、使い勝手の良いのスライド機構を有するライティングダクトシステムの実現が可能となる。
【００９４】
尚、第３の実施の形態では、ライティングダクト２０の上面を、第１及び第２のスライドガイド部２２、２３で挟持しながらライティングダクト２０をスライド可能にしたスライド機構について説明したが、これに限定されるものではなく、例えばライティングダクト２０と一体的に構成することでライティングダクト２０を自在にスライド可能な構成であればいずれの構造を用いて構成して良い。
【００９５】
尚、本発明は、以上述べた実施の形態及び変形例のみに限定されるものではなく、発明の要旨を逸脱しない範囲で種々変形実施可能である。
【図面の簡単な説明】
【００９６】
【図１】本発明に係る第１の実施の形態のライティングダクトシステムの全体構成を示す一部破断した側面断面図。
【図２】図１のライティングダクトシステムを下からみた場合の構成図。
【図３】ライティングダクト及びプラグ式の給電部との電気的接続構造を説明する断面図で接続前の状態を示す図。
【図４】ライティングダクト及びプラグ式の給電部との電気的接続構造を説明する断面図で接続完了状態を示す図。
【図５】ライティングダクトと給電部との電気的接続構造の変形例を示す断面図で接続前の状態を示す図。
【図６】ライティングダクトと給電部との電気的接続構造の変形例を示す断面図で接続完了状態を示す図。
【図７】図６のＳＬ端子構造の給電部の具体的な構成を示す断面図。
【図８】本発明に係る第２の実施の形態のライティングダクトシステムの全体構成を示す一部破断した側面断面図。
【図９】図８のライティングダクトシステムを下からみた場合の構成図。
【図１０】本発明の係る第３の実施の形態のライティングダクトシステムにおけるライティングダクト及び固定部の中心近傍の断面図。
【符号の説明】
【００９７】
１、１Ａ…ライティングダクトシステム、
２…ライティングダクト、
２Ｚ…取付孔、
２ａ…貫通孔、
３…固定部、
５…接続線、
６…給電部、
８…導電バー、
９…接触刃、
１０…接続端子部、
１３…板バネ、
１４…接触刃、
１５…カム部、
２０…ライティングダクト。
【図１】
0004882897.tif 000002
【図２】
0004882897.tif 000003
【図３】
0004882897.tif 000004
【図４】
0004882897.tif 000005
【図５】
0004882897.tif 000006
【図６】
0004882897.tif 000007
【図７】
0004882897.tif 000008
【図８】
0004882897.tif 000009
【図９】
0004882897.tif 000010
【図１０】
0004882897.tif 000011